(57)【要約】【課題】本発明は、放熱効果に優れたメモリバンクアセンブリを提供することを目的とする。【解決手段】本発明のメモリバンクアセンブリは、プリント基板に設けられた複数の挿し込み溝と、該複数の挿し込み溝に差し込まれる複数のメモリバンクと、前記プリント基板を固定する支持部材と、少なくとも一つのファンと、を備え、前記支持部材は、少なくとも一つの通風孔が設けられた取り付け板と、該取り付け板の四隅から垂直に下方に延伸し且つ前記プリント基板を固定する複数の支承部と、を備え、前記ファンを、前記取り付け板に固定した場合に、前記通風孔と前記メモリバンクとは対向して設置される。【選択図】図３
2013135230.tif 000002
【特許請求の範囲】
【請求項１】
メモリバンクアセンブリにおいて、プリント基板に設けられた複数の挿し込み溝と、該複数の挿し込み溝に差し込まれる複数のメモリバンク及び前記プリント基板を固定する支持部材と、少なくとも一つのファンと、を備え、前記支持部材は、少なくとも一つの通風孔が設けられた取り付け板と、該取り付け板の四隅から垂直に下方に延伸し且つ前記プリント基板を固定する複数の支承部と、を備え、前記ファンを前記取り付け板に固定した場合に、前記通風孔と前記メモリバンクとは対向して設置されることを特徴とするメモリバンクアセンブリ。
【請求項２】
前記各挿し込み溝は、前記メモリバンクを収容する本体と、該本体の両端に回転可能にそれぞれ接続される固定部と、を備え、前記メモリバンクアセンブリは、前記支持部材の取り付け板の両端に回転可能に設置された二つのハンドルを備え、前記二つのハンドルは、前記挿し込み溝の本体の両端の固定部に着脱可能に係止されることを特徴とする請求項１に記載のメモリバンクアセンブリ。
【発明の詳細な説明】
【技術分野】
【０００１】
本発明は、メモリバンクアセンブリに関するものである。
【背景技術】
【０００２】
従来のシステムにおいて、メモリバンクの容量が増加すると、大量の熱が発生するため、一般的には、放熱するための放熱フィンを取り付けるが、放熱効果が小さい。
【発明の概要】
【発明が解決しようとする課題】
【０００３】
以上の問題点に鑑みて、本発明は、放熱効果に優れたメモリバンクアセンブリを提供することを目的とする。
【課題を解決するための手段】
【０００４】
メモリバンクアセンブリにおいて、プリント基板に設けられた複数の挿し込み溝と、該複数の挿し込み溝に差し込まれる複数のメモリバンクと、前記プリント基板を固定する支持部材及び少なくとも一つのファンと、を備え、前記支持部材は、少なくとも一つの通風孔が設けられた取り付け板及び該取り付け板の四隅から垂直に下方に延伸し且つ前記プリント基板を固定する複数の支承部と、を備え、前記ファンを前記取り付け板に固定し、この際、前記通風孔と前記メモリバンクとは対向して設置される。
【発明の効果】
【０００５】
メモリバンクアセンブリのファンをメモリバンクの上方に設置して、該ファンによってメモリバンクに対して放熱させる。
【図面の簡単な説明】
【０００６】
【図１】本発明に係るメモリバンクアセンブリの分解図である。
【図２】図１に示したメモリバンクアセンブリのＩＩ部分の拡大図である。
【図３】図１に示したメモリバンクアセンブリの組立図である。
【発明を実施するための形態】
【０００７】
以下、図面に基づいて、本発明に係るメモリバンクアセンブリについて詳細に説明する。
【０００８】
図１に示したように、本発明に係るメモリバンクアセンブリは、プリント基板１００に設けられた複数の挿し込み溝１０と、該複数の挿し込み溝１０に差し込まれる複数のメモリバンク２０と、支持部材３０と、二つのファン４０及び二つのハンドル５０と、を備える。プリント基板１００上における挿し込み溝１０の周囲には、四つの取り付け孔１０２が互いに間隔をあけて設けられている。
【０００９】
各挿し込み溝１０は、メモリバンク２０を収容する本体１１及び該本体１１の両端に回転可能に接続された固定部１２と、を備え、この固定部１２は、対応するメモリバンク２０を本体１１に固定することに用いられる。操作を便利にするために、各固定部１２には、外側に向けて延伸する操作部（図表せず）がそれぞれ設けられている。
【００１０】
図２に示したように、支持部材３０は、矩形の取り付け板３１と、該取り付け板３１の四隅から垂直に下方にそれぞれ延伸して形成された四つの支承部３２と、を備える。また、取り付け板３１には、二つの通風孔３１１が設けられ、各通風孔３１１の周辺には、該周辺を囲んで且つ互いに間隔をあけて、四つの定位柱３１３がそれぞれ設けられている。本発明の実施形態において、定位柱３１３はゴム材料によって形成される。取り付け板３１の対向する両側の両端には接続孔３１５がそれぞれ設けられている。また、各支承部３２の末端には、軸心方向に向かって切欠口３２０が設けられており、該切欠口３２０の両側には、弾力を持つ第一係止部３２１及び該第一係止部３２１の長さより短く且つ第一係止部３２１の上面に（つまり、図２を平面視した場合、手前側）設置される第二係止部３２２が設けられている。第一係止部３２１の外側の末端に近接する部分にはロック部３２１２が設けられ、第二係止部３２２の外側の末端に近接する部分には突起３２２２が設けられている。突起３２２２はロック部３２１２の上方に位置する。
【００１１】
各々のファン４０は、互いに間隔をあけて設置された矩形の二つの端壁４２をそれぞれ備える。各端壁４２の四隅には貫通孔４４が設けられ、端壁４２をそれぞれ貫く。本発明の実施形態において、各ハンドル５０は金属材料によって形成され、固定杆５１と、該固定杆５１の両端から垂直に延伸して形成された二つの延伸部５３と、該二つの延伸部５３の該固定杆５１と離れている一端から延伸部５３に対して垂直に且つ互いに対向して延伸して形成された接続部５５と、を備える。
【００１２】
図３に示したように、メモリバンクアセンブリを組み立てる際、先ず、二つのファン４０を、支持部材３０の取り付け板３１の二つの通風孔３１１にそれぞれ収容する。この際、定位柱３１３をファン４０の貫通孔４４にそれぞれ貫かせて、二つのファン４０を取り付け板３１の頂面に固定する。次いで、各ハンドル５０の接続部５５を、対応する支持部材３０の一端に設けられている二つの接続孔３１５に回転可能に設置する。これにより、二つのハンドル５０は、回転可能に支持部材３０の両端にそれぞれ設置される。
【００１３】
次いで、支持部材３０をメモリバンク２０の上方に架設した後、支承部３２のロック部３２１２を、対応するプリント基板１００の取り付け孔１０２に貫かせ且つプリント基板１００の底面に係止させる。これにより、各支承部３２の突起３２２２は、プリント基板１００の頂面を押圧して、支持部材３０が落下してメモリバンク２０が損傷することを防止する。次いで、二つのハンドル５０を下方に向かってそれぞれ回転させて、二つのハンドル５０の固定杆５１を、挿し込み溝１０の両端の固定部１２の操作部と係止させる。これにより、支持部材３０は安定してプリント基板１００に固定される。この際、ハンドル５０の固定杆５１は、対応する操作部の底部を押圧するため、ハンドル５０は固定部１２に力を与える。これにより、固定部１２はメモリバンク２０に向かって回転するので、ハンドル５０と固定部１２とは係止され、固定部１２はメモリバンク２０とさらに緊密に接続される。
【符号の説明】
【００１４】
１００          プリント基板
１０２          取り付け孔
１０            挿し込み溝
１１            本体
１２            固定部
２０            メモリバンク
３０            支持部材
３１            取り付け板
３１１          通風孔
３１３          定位柱
３１５          接続孔
３２            支承部
３２０          切欠口
３２１          第一係止部
３２１２        ロック部
３２２          第二係止部
３２２２        突起
４０            ファン
４２            端壁
４４            貫通孔
５０            ハンドル
５１            固定杆
５３            延伸部
５５            接続部
【図１】
2013135230.tif 000003
【図２】
2013135230.tif 000004
【図３】
2013135230.tif 000005